(57)【特許請求の範囲】
【請求項１】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーがピボット軸をピボット穴内に突出させたときにレバーを当該位置にロックするロック手段を備え、レバー操作ネジを固定体の内側に螺進させた時にロック手段をアンロック状態からロック状態へと自動的に移行させる弾性体を備えたことを特徴とするピボット軸操作装置。
【請求項２】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーがピボット軸をピボット穴内に突出させたときにレバーを当該位置にロックするロック手段を備え、このロック手段が、上記固定体上における上記レバーの近傍に配置されたロックレバーと、このロックレバーをロック位置とアンロック位置との間で切換え操作する操作片とを具備し、上記固定体には上記操作片が突出する窓穴が設けられたことを特徴とするピボット軸操作装置。
【請求項３】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーがピボット軸をピボット穴内に突出させたときにレバーを当該位置にロックするロック手段を備え、このロック手段が、上記固定体上における上記レバーの近傍に配置されたロック片と、このロック片をロック位置とアンロック位置との間で切換え操作する操作軸とを具備し、上記操作軸は上記固定体に上記レバー操作ネジと平行に穿設された軸穴に回動可能に支持され、この操作軸の端が固定体から露出していることを特徴とするピボット軸操作装置。
【請求項４】
請求項１乃至請求項３のいずれかに記載のピボット軸操作装置において、ロック手段がロック状態とアンロック状態のいずれにあるかを表示する表示手段を備えたことを特徴とするピボット軸操作装置。
【発明の詳細な説明】
【０００１】
【発明の属する技術分野】
本発明は、ピボットヒンジに用いられるピボット軸操作装置に関する。
【０００２】
【従来の技術】
建築物における出入口のドアは壁等と一体の出入口枠にピボットヒンジを介して取り付けられる場合がある。特開２００１−９０４２５はピボットヒンジの一例について開示する。このピボットヒンジは、次のような構成のピボット軸操作装置を備えている。すなわち、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備している。レバー操作ネジを一方に回して固定体の内側へと螺進させると、レバーが一方の向きに回動してピボット軸をピボット穴内に侵入させる。これにより、ピボットヒンジが結合し、ドアはピボット軸を支点にして開閉可能になる。また、レバー操作ネジを逆向きに回して固定体の外側に螺進させると、レバーが他方の向きに回動してピボット軸をピボット穴から離脱させる。これにより、ピボットヒンジが分離され、ドアは出入口枠から取り外し可能になる。
【０００３】
【発明が解決しようとする課題】
従来のレバー操作ネジのネジ穴は、例えば特開２００１−９０４２５に開示されているように、ドアが出入口枠に取り付けられた後は、化粧板により完全に遮蔽される。そのため、一旦ドアの取り付け工事が完了した後は、レバー操作ネジの締め付け具合、レバー操作ネジの存否等について確認することができない。
【０００４】
化粧板を省略した場合は、レバー操作ネジを誤って操作する可能性がある。
【０００５】
本発明の目的は、レバー操作ネジの締め付け具合、レバー操作ネジの存否等を簡易に確認することができ、また修理等に際しドアを出入口枠から簡易かつ迅速に外すことができ、しかもレバー操作ネジの誤操作を防止することができるピボット軸操作装置を提供することにある。
【０００６】
【課題を解決するための手段】
上述した課題を解決するために、請求項１に係る発明は、出入口のドア（１）に形成されたピボット穴（２）と、出入口枠（３）に固定された固定体（４）と、固定体（４）側からピボット穴（２）に対し出入可能なピボット軸（５）と、ピボット軸（５）をスライド自在に支持する固定体（４）に形成されたスライド穴（６）と、ピボット軸（５）に連結される固定体（４）に支持されたレバー（７）と、固定体（４）の内側に螺進するときにレバーを介しピボット軸（５）をピボット穴（２）内に突出させ固定体（４）の外側に螺進するときにレバー（７）を介しピボット軸（５）をピボット穴（２）外に離脱させる固定体（４）に螺合したレバー操作ネジ（８）とを具備してなるピボット軸操作装置において、レバー操作ネジ（８）の操作によりレバー（７）がピボット軸（５）をピボット穴（２）内に突出させたときにレバー（７）を当該位置にロックするロック手段（２５）を備え、レバー操作ネジ（８）を固定体（４）の内側に螺進させた時にロック手段（２５）をアンロック状態からロック状態へと自動的に移行させる弾性体（２６）を備えたピボット軸操作装置を採用する。
【０００７】
また、請求項４に係る発明は、請求項１乃至請求項３のいずれかに記載のピボット軸操作装置において、ロック手段（２５）がロック状態とアンロック状態のいずれにあるかを表示する表示手段（３６，３７）を備えたピボット軸操作装置を採用する。
【０００９】
【発明の実施の形態】
以下、本発明に係るピボット軸操作装置の実施の形態について添付図面を参照して詳述する。
【００１０】
＜実施の形態１＞
図１に示すように、建物における出入口のドア１は壁等と一体の出入口枠３にピボットヒンジを介して取り付けられる。このピボットヒンジのうち上側のピボットヒンジは、次のような構成のピボット軸操作装置を備えている。
【００１１】
図１乃至図６に示すように、このピボット軸操作装置は、出入口のドア１に形成されたピボット穴２と、出入口枠３に固定された固定体４と、固定体４側からピボット穴２に対し出入可能なピボット軸５と、ピボット軸５をスライド自在に支持する固定体４に形成されたスライド穴６と、ピボット軸５に連結される固定体４に支持されたレバー７と、固定体４の内側に螺進するときにレバー７を介しピボット軸５をピボット穴２内に突出させ固定体４の外側に螺進するときにレバー７を介しピボット軸５をピボット穴２外に離脱させる固定体４に螺合したレバー操作ネジ８とを具備する。
【００１２】
ピボット穴２は、図１に示すように、ピボット軸５に対して回動可能に支持する軸受の穴としてドア１の上端に形成される。ドア１の下側にも同様なピボット軸等が設けられるが、これらは公知の構造であるからその詳細な説明は省略する。
【００１３】
図１乃至図５に示すように、固定体４は略長方形の板材で形成される。この固定体４は、出入口枠３におけるドア１の上縁に対向する面に固定ネジ等の所望の固定手段により固定される。出入口枠３の固定体４よりも上側には、このピボット軸５の操作装置を収納するための空洞が設けられている。
【００１４】
図１乃至図５に示すように、ピボット軸５は丸棒等の棒材で形成される。固定体４にはピボット軸５がドア１側に向かってスライドするスライド穴６が筒体１０によって付与される。固定体４には嵌合穴が形成され、この嵌合穴に筒体１０が出入口枠３側から嵌め込まれ、固定体４と一体化される。ピボット軸５はスライド穴６内を固定体４に対し垂直方向にスライドし、固定体４の下面から出没することでドア１のピボット穴２に対し出入する。
【００１５】
図１乃至図５に示すように、レバー７は固定体４の上方をその長さ方向に沿って伸び、固定体４に設けられたブラケット１１に水平軸１２を介して上下方向に回動可能に支持される。レバー７の水平軸１２を中心にした片側は筒体１０の方に伸び、その細い棒状の先端が筒体１０の側面に形成された縦溝１３を筒体１０内へと貫通し、ピボット軸５の側面に形成された横穴１４内に入り込む。このため、レバー７が水平軸１２を支点にして上下に回動すると、ピボット軸５がスライド穴６内を上下にスライドする。
【００１６】
図４に示すように、レバー操作ネジ８は固定体４を上下に貫通するように設けられ、その上端がレバー７における水平軸１２を中心にした他の片側に玉継手１７を介し連結されている。レバー操作ネジ８のネジ軸８ａの雄ネジは固定体４に垂直に形成されたネジ穴８ｂの雌ネジに螺合している。ネジ軸８ａの下端にはねじ回し用ドライバ等の工具（図示せず）を挿入するための溝８ｃが形成される。溝８ｃに工具を挿入してレバー操作ネジ８を固定体４の内側に螺進するように回すと、レバー７が水平軸１２の回りを反時計方向に回動し、ピボット軸５をピボット穴２に侵入させる。レバー操作ネジ８が固定体４の外側に螺進するようにレバー操作ネジ８を逆方向に回すと、レバー７が水平軸１２の回りを時計方向に回動し、ピボット軸５をピボット穴２から離脱させる。
【００１７】
このピボット軸操作装置は、レバー操作ネジ８の操作によりレバー７がピボット軸５をピボット穴２内に突出させたときにレバー７を当該位置にロックするロック手段を備える。
【００１８】
すなわち、図２乃至図５に示すように、このロック手段は、固定体４上におけるレバー７の近傍に配置されたロックレバー２５と、ロックレバー２５をロック位置へと常時付勢するロックバネ２６と、ロックレバー２５をロック位置とアンロック位置との間で切換え操作する操作片１５とを具備する。
【００１９】
ロックレバー２５は、固定体４上におけるブラケット１１の近傍に立設された枢軸２８に水平面内で回動可能に支持される。ロックレバー２５の一端からはレバー７に対し係脱しうるロック片２７が突出する。ロック片２７は、具体的にはレバー７がピボット軸５をピボット穴２内に突出させるように傾斜したときにレバー操作ネジ８とブラケット１１との間におけるレバー７と固定体４との隙間に入り込み得るように形成される。ロック片２７がこの隙間に入り込むことにより、レバー７がロックされ水平軸１２の回りを回動することができず、従ってピボット軸５を離脱操作する方向にレバー操作ネジ８を回すことが出来ない。ロック片２７が上記隙間から離脱するように操作片１５を回すと、レバー７はアンロックされ、水平軸１２の回りを回動可能になる。
【００２０】
ロック片２７のロック箇所は上記隙間に限らず、筒体１０とブラケット１１との間におけるレバー７の上側であってもよい。
【００２１】
ロックバネ２６は例えば捩りコイルバネであり、上記枢軸２８に巻回され、両端がブラケット１１とロックレバー２５とに係止される。これにより、ロックレバー２５はそのロック片２７がレバー７下に入り込むロック位置の方へ常時付勢される。ロックバネ２６の付勢力により、図２に示すようにロック片２７が上記レバー７下の隙間内のロック位置に停止してレバー７をロックする。ロックバネ２６の付勢力に抗して操作片１５を操作すると、ロック片２７はレバー７下の隙間から離脱し、レバー７をアンロックする。また、レバー操作ネジ８を固定体４の内側へ螺進させると、ロックバネ２６の弾性作用によりロック片２７が上記隙間内に自動的に嵌り込む。すなわち、ロックバネ２６はロック手段をアンロック状態からロック状態へと自動的に移行させる弾性体として機能する。
【００２２】
なお、ロック手段をアンロック状態からロック状態へと自動的に移行させる機能をロックバネ２６に与える必要がない場合は、ロックバネ２６を反転バネとして設け、ロック片２７をロック位置とアンロック位置との二位置間で振り分けて付勢するようにし、ロックレバー２５をいずれかの位置に選択的に停止させるようにしてもよい。
【００２３】
操作片１５は、固定体４に穿設された窓穴１６内に突出する。操作片１５はロックバネ２６によりロック方向に付勢される結果、窓穴の縁に当たって停止する。これにより、図２に示すようにロックレバー２５はそのロック片２７がレバー７下に入り込むロック位置に停止し、レバー７をロックする。また、ロックバネ２６の付勢力に抗して操作片１５を操作すると、ロックレバー２５はそのロック片２７がレバー７下から離脱する方向に回動し、レバー７をアンロックする。
【００２４】
このピボット軸操作装置は、上記ロック手段がロック状態とアンロック状態のいずれにあるかを表示する表示手段を備える。
【００２５】
すなわち、図６に示すように、ロック手段の操作片１５が接触して停止する窓穴１６の縁にはレバー７のロックを意味する「固定」の文字３６が刻印、印刷等により施されている。窓穴１６の反対側の縁にはレバー７のアンロックを意味する「操作」の文字３７が刻印、印刷等により施されている。これらの文字３６，３７は固定体４の下面に表示してもよいが、具体的には後述する化粧板１８の下面に表示される。ロック手段である操作片１５がインジケータの指針として「固定」の文字３６又は「操作」の文字３７を指示することにより、レバー７がロック状態にあるかアンロック状態にあるかがドア１を開けた状態において固定体４の下方の外部から認識される。作業者はレバー７がロック状態にあるかアンロック状態にあるかを直ちに判別して速やかにロック状態とアンロック状態の切換えを行うことができる。「固定」又は「操作」の文字３６，３７の表示はその他の文字又は文字に限らず、図形、記号等で行うこともできる。
【００２６】
図２乃至図６に示すように、固定体４のドア１に対向する面には化粧板１８が必要に応じて取り付けられる。化粧板１８は止めネジ１９により固定体４に固定され、固定体４から覗く筒体１０の端面、ブラケット１１の切り出し部等を遮蔽する。化粧板１８には、筒体１０のスライド穴６に連通するガイド穴２０、操作片１５の窓穴１６に連通する覗き穴２１、レバー操作ネジ８が貫通する貫通穴２２が夫々設けられ、各穴からピボット軸５、操作片１５、レバー操作ネジ８が露出する。
【００２７】
次に、上記構成のピボット軸操作装置の作用を説明する。
【００２８】
ドア１を出入口枠３に取り付ける場合、図６に示すように窓穴１６から露出する操作片１５を「固定」側から「操作」側に操作してロックレバー２５を図２に示すロック位置から図３に示すアンロック位置に切り替える。続いてレバー操作ネジ８の溝８ｃにドライバ等の工具を挿入し、レバー操作ネジ８を固定体４の外側へと螺進させる。これにより、図４中、レバー７が水平軸１２の回りを時計方向に回動し、ピボット軸５を押し上げる。ピボット軸５はスライド穴６に案内されて固定体４の上方へスライドし、スライド穴６内に引っ込む。
【００２９】
次いで、ドア１の下側のピボット軸をピボット穴に挿入した後、ドア１の上側のピボット穴２をピボット軸５のスライド穴６に臨ませる。続いてレバー操作ネジ８の溝８ｃにドライバ等の工具を挿入し、レバー操作ネジ８を固定体４の内側へと螺進させる。これにより、図４に示すようにレバー７が水平軸１２の回りを反時計方向に回動し、ピボット軸５を下方へ押し下げる。ピボット軸５はスライド穴６に案内されて固定体４の下方へ突出し、ドア１の上側のピボット穴２内へと侵入する。
【００３０】
図１に示すように、ピボット軸５がピボット穴２内に適正に入り込むと、レバー操作ネジ８のネジ軸８ａは固定体４の内側へと没し、レバー７が回動してレバー操作ネジ８とブラケット１１との間においてレバー７と固定体４との間に隙間が形成される。ロックレバー２５はロックバネ２６によりロック方向に常時付勢されているので、隙間が形成されると同時にロックレバー２５が枢軸２８を支点に回動し、図２及び図５に示すごとくロック片２７がこの隙間内に自動的に入り込みレバー７をロックする。
【００３１】
また、ロックレバー２５がロック位置へと回動すると、同時に操作片１５が図６において「操作」側から「固定」側に復帰し、ピボット軸５がピボット穴２に適正に挿入され、かつレバー７がロックされたことを表示する。
【００３２】
ドア１の修理、保守、点検等に際しドア１を出入口枠３から外すには、図６に示すように窓穴１６から露出する操作片１５を「固定」側から「操作」側に操作してロックレバー２５を図２に示すロック位置から図３に示すアンロック位置に切り替える。
【００３３】
続いてレバー操作ネジ８の溝８ｃにドライバ等の工具を挿入し、レバー操作ネジ８を固定体４の外側へと螺進させる。これにより、レバー７が水平軸１２の回りを時計方向に回動し、ピボット軸５を押し上げ、ピボット軸５はスライド穴６に案内されて固定体４の上方へスライドし、スライド穴６内に引っ込む。ドア１はピボット軸５による拘束から解かれ、出入口枠３から取り外し可能になる。
【００３４】
＜実施の形態２＞
この実施の形態２におけるピボット軸の操作装置は実施の形態１のものと同様な構成を備えるが、さらにピボット軸５がピボット穴２に完全に挿入されたことを表示するためのインジケータ部材であるインジケータキャップ２３を備えている。
【００３５】
すなわち、図７に示すように、レバー操作ネジ８が固定体４内に没入した状態において、円盤状のインジケータキャップ２３がネジ穴８ｂの開口部に装着される。インジケータキャップ２３は図１に示すドア１の上縁と出入口枠３との隙間に収まり、従ってドア１はインジケータキャップ２３に干渉されることなく開閉可能である。インジケータキャップ２３がネジ穴８ｂの開口部に装着されていることでドア１のピボット穴２にピボット軸５が適正に挿入されていることが外部から視認される。
【００３６】
インジケータキャップ２３は化粧板１８の下から化粧板１８の貫通穴２２の縁に嵌め込まれ固定される。この嵌め込みを円滑に行うことができるように、望ましくはインジケータキャップ２３に切欠２９が形成されバネ性が付与される。貫通穴２２にはインジケータキャップ２３をより強固に保持するため、逆テーパ面を形成してもよい。また、化粧板１８が省略される場合等においてはインジケータキャップ２３を固定体４のネジ穴８ｂに嵌め込むようにして固定体４に直に取り付けても良い。インジケータキャップ２３の存在を視認しやすくするため、インジケータキャップ２３に彩色しておいてもよい。
【００３７】
インジケータキャップ２３の中央には、望ましくはレバー操作ネジ８のネジ軸８ａよりも小径の工具挿入穴２４が形成される。これにより、工具を工具挿入穴２４からネジ穴８ｂ内に挿入してレバー操作ネジ８の溝８ｃに係止し、レバー操作ネジ８を緩めると、ピボット軸５をピボット穴２から筒体１０内へと抜き取ると同時にインジケータキャップ２３を固定体４から除去することができる。このため、インジケータキャップ２３の固定体４への残留が防止され誤表示が防止される。インジケータキャップ２３はドア１が出入口枠３に装着された後、レバー操作ネジ８のネジ穴８ｂの開口部に再度装着される。
【００３８】
工具挿入穴２４はレバー操作ネジ８の状態を見るための覗き穴としても機能する。覗き穴からレバー操作ネジ８の存否又はレバー操作ネジ８の下端の位置を観察することで、ピボット軸５とピボット穴２との係合状態の良否を判別することができる。
【００３９】
＜実施の形態３＞
この実施の形態３におけるピボット軸操作装置は実施の形態１のものと同様に、レバー操作ネジ８の操作によりレバー７がピボット軸５をピボット穴６内に突出させたときにレバー７を当該位置にロックするロック手段を備える。
【００４０】
すなわち、図８乃至図１１に示すように、このロック手段は、固定体４上におけるレバー７の近傍に配置されたロック片３０と、ロック片３０をロック位置とアンロック位置との間で切換え操作する操作軸３１とを具備する。
【００４１】
操作軸３１は、固定体４上にレバー操作ネジ８と平行に穿設された軸穴３２に回動可能に支持され、この軸穴３２から抜け出ないように止めリング３３で係止される。操作軸３１の固定体４を上方向に貫通した箇所には、ロック片３０が固定される。ロック片３０は、レバー７が傾斜しピボット軸５をピボット穴６内に突出させたときに、レバー７の反ピボット軸側の端と固定体４との間に形成される隙間に入り込み得るように設けられる。具体的には、ロック片３０は操作軸３１の上端に固着した円柱を操作軸３１の軸心を含む平面で半裁して得られる半円柱体である。操作軸３１が図９に示す位置から約１８０度回動操作されると、ロック片３０は図９に示すアンロック位置から図１０に示すロック位置へと移動して上記隙間に入り込む。これにより、レバー７がロックされ水平軸１２の回りを回動することができず、従ってピボット軸５を離脱操作する方向にレバー操作ネジ８を回すことが出来ない。ロック片３０が上記隙間から離脱するように操作軸３１を回すと、レバー７はアンロックされ、水平軸１２の回りを回動可能になる。
【００４２】
このピボット軸操作装置は、上記ロック手段がロック状態とアンロック状態のいずれにあるかを表示する表示手段を備える。
【００４３】
すなわち、図１１に示すように、ロック手段の操作軸３１が固定体４下に露出する軸穴３２の縁には上記ロック位置に対応するように「固定」の文字等が刻印、印刷等により施されている。軸穴３２の反対側の縁には上記アンロック位置に対応するように「操作」の文字等が刻印、印刷等により施されている。これらの文字等は固定体４の下面に表示してもよいが、具体的には後述する化粧板１８の下面に表示される。「固定」又は「操作」の文字３６，３７に代えて、他の文字、図形、記号等を用いることも可能である。ロック手段である操作軸３１の下端の指針３４が「固定」又は「操作」を指示することにより、レバー７がロック状態にあるかアンロック状態にあるかがドア１を開けた状態において固定体４の外部から認識される。作業者はレバー７がロック状態にあるかアンロック状態にあるかを直ちに判別して速やかにロック状態とアンロック状態の切換えを行うことができる。
【００４４】
固定体４のドア１に対向する面には化粧板１８が必要に応じて取り付けられる。化粧板１８は止めネジ１９により固定体４に固定され、固定体４から覗く筒体１０の端面、ブラケット１１の切り出し部等を遮蔽する。化粧板１８には、操作軸３１の軸穴３２とレバー操作ネジ８のネジ穴８ｂの双方を囲む覗き穴３５が設けられ、この覗き穴３５から操作軸３２とレバー操作ネジ８とが露出する。
【００４５】
次に、上記構成のピボット軸操作装置の作用を説明する。
【００４６】
ドア１を出入口枠３に取り付ける場合、図１１に示すように軸穴３２から露出する操作軸を「固定」側から「操作」側に操作してロック片３０を図１０に示すロック位置から図９に示すアンロック位置に切り替える。続いてレバー操作ネジ８の溝８ｃにドライバ等の工具を挿入し、レバー操作ネジ８を固定体４の外側へと螺進させる。これにより、図９中、レバー７が水平軸１２の回りを時計方向に回動し、ピボット軸５を押し上げる。ピボット軸５はスライド穴６に案内されて固定体４の上方へスライドし、スライド穴内に引っ込む。
【００４７】
次いで、ドア１の下側のピボット軸をピボット穴に挿入した後、ドア１の上側のピボット穴２をピボット軸５のスライド穴６に臨ませる。続いてレバー操作ネジ８の溝８ｃにドライバ等の工具を挿入し、レバー操作ネジ８を固定体４の内側へと螺進させる。これにより、図９に示すようにレバー７が水平軸１２の回りを反時計方向に回動し、ピボット軸５を下方へ押し下げる。ピボット軸５はスライド穴６に案内されて固定体４の下方へ突出し、ドア１の上側のピボット穴２内へと侵入する。
【００４８】
図１に示すように、ピボット軸５がピボット穴２内に適正に入り込むと、レバー操作ネジ８のネジ軸８ａは固定体４の内側へと没し、レバー７が回動してレバー７の端と固定体４との間の隙間が大きくなる。そこで、操作軸３１をアンロック位置からロック位置へと回動操作し、ロック片３０を上記隙間内に侵入させてレバー７をロックする。このロック操作の際、指針３４と「操作」及び「固定」の表示との位置関係を目安にすることでアンロックからロックへの切換えを外部から正確に行うことができ、また、切換え操作後においてピボット軸５がピボット穴２に適正に挿入されかつレバー７がロックされたことが表示される。
【００４９】
ドア１の修理、保守、点検等に際しドア１を出入口枠３から外すには、軸穴３２から露出する操作軸３１を「固定」側から「操作」側に操作してロック片３０を図１０に示すロック位置から図９に示すアンロック位置に切り替える。
【００５０】
続いてレバー操作ネジ８の溝８ｃにドライバ等の工具を挿入し、レバー操作ネジ８を固定体４の外側へと螺進させる。これにより、レバー７が水平軸１２の回りを時計方向に回動し、ピボット軸５を押し上げ、ピボット軸５はスライド穴６に案内されて固定体４の上方へスライドし、スライド穴６内に引っ込む。ドア１はピボット軸５による拘束から解かれ、出入口枠３から取り外し可能になる。
【００５１】
【発明の効果】
請求項１の発明によれば、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジの操作によりレバーがピボット軸をピボット穴内に突出させたときにレバーを当該位置にロックするロック手段を備えたことから、ピボットヒンジが結合状態にあるときにレバーをロックし、レバー操作ネジの誤操作を防止してピボット軸のピボット穴からの脱け出しを確実に防止することができる。
また、レバー操作ネジをアンロック位置からロック位置へ螺進させた時にロック手段をアンロック状態からロック状態へと自動的に移行させる弾性体を備えたことから、レバー操作ネジをアンロック位置からロック位置に移行させる際にロック手段が弾性体により自動的にロック位置に復帰し、従って作業者によるロックのし忘れを防止することができる。
【００５２】
請求項４の発明によれば、請求項１乃至請求項３のいずれかに記載のピボット軸操作装置において、ロック手段がロック状態とアンロック状態のいずれにあるかを表示する表示手段を備えることから、ロック手段がロック状態とアンロック状態のいずれにあるかを外部から直ちに視認してロック・アンロック操作をすることができ、ドアの取付施工、保守点検等を速やかに行うことができる。
【図面の簡単な説明】
【図１】本発明の実施の形態１に係るピボット軸操作装置を備えたピボットヒンジをドア及び出入口枠と共に示す立面図である。
【図２】図１中、ＩＩ−ＩＩ線矢視図であり、ロック状態にあるピボット軸操作装置を示す。
【図３】アンロック状態にあるピボット軸操作装置を示す図２と同様な図である。
【図４】図２中、ＩＶ−ＩＶ線矢視断面図である。
【図５】図２中、Ｖ方向矢視図である。
【図６】ピボット軸操作装置の部分底面図である。
【図７】（Ａ）は本発明の実施の形態２に係るピボット軸操作装置の部分拡大図、（Ｂ）はインジケータの底面図である。
【図８】本発明の実施の形態３に係るピボット軸操作装置をアンロック状態で示す平面図である。
【図９】図８中、ＩＸ−ＩＸ線矢視断面図である。
【図１０】ピボット軸操作装置をロック状態で示す部分断面図である。
【図１１】図１０に示す箇所の底面図である。
【符号の説明】
１…ドア
２…ピボット穴
３…出入口枠
４…固定体
５…ピボット軸
６…スライド穴
７…レバー
８…レバー操作ネジ
２５…ロックレバー
２６…ロックバネ
３６，３７…文字
【図１】
0003768154.tif 000002
【図２】
0003768154.tif 000003
【図３】
0003768154.tif 000004
【図４】
0003768154.tif 000005
【図５】
0003768154.tif 000006
【図６】
0003768154.tif 000007
【図７】
0003768154.tif 000008
【図８】
0003768154.tif 000009
【図９】
0003768154.tif 000010
【図１０】
0003768154.tif 000011
【図１１】
0003768154.tif 000012